(57)【要約】【課題】  先端工具を取り替える作業を簡素化できるだけでなく、先端工具を使用して行う作業の操作性を維持することができる先端工具用アダプタ及び操作棒を提供する。【解決手段】  先端工具７を固定する複数の工具固定部２１を備え、各工具固定部２１が操作棒５の軸心上に位置するそれぞれの状態に切り替え可能に構成されることを特徴とする。【選択図】  図４
2010193612.tif 000002
【特許請求の範囲】
【請求項１】
先端工具を固定する工具固定部を複数備え、操作棒と複数の先端工具とを接続するための先端工具用アダプタにおいて、
各工具固定部が操作棒の軸心上に位置するそれぞれの状態に切り替え可能に構成されることを特徴とする先端工具用アダプタ。
【請求項２】
各工具固定部は、操作棒の軸心方向と直交する方向を中心に回動可能に構成される請求項１に記載の先端工具用アダプタ。
【請求項３】
各工具固定部は、一体的に形成される請求項１又は２に記載の先端工具用アダプタ。
【請求項４】
操作棒に固定される固定体と、固定体に対して相対的に移動可能な可動体とを備え、複数の工具固定部は、可動体にそれぞれ配置され、固定体は、可動体が相対的に移動するのを規制することにより、各工具固定部が操作棒の軸心上に位置するように位置決めする位置決め手段を備える請求項３に記載の先端工具用アダプタ。
【請求項５】
先端工具を固定する工具固定部を先端側に複数備え、各工具固定部が軸心上に位置するそれぞれの状態に切り替え可能に構成されることを特徴とする操作棒。
【発明の詳細な説明】
【技術分野】
【０００１】
本発明は、配電設備における間接活線工法にて用いられる操作棒に、複数の先端工具を接続するための先端工具用アダプタに関し、また、先端側に複数の先端工具を装着可能な操作棒に関する。
【背景技術】
【０００２】
従来、配電設備における間接活線工法にて用いられる操作棒として、図１２に示すように、先端側に、先端工具用アダプタ（以下、単に「アダプタ」ともいう）６又は先端工具８を装着する操作棒５が知られている。また、操作棒５と先端工具７とを接続するアダプタ６として、操作棒５に固定され且つ先端工具７を固定するアダプタ６が知られている。なお、このような操作棒５は、一般的に、共用操作棒や絶縁操作棒と呼ばれている。
【０００３】
操作棒５は、絶縁性を有して、長尺に形成される。そして、操作棒５は、アダプタ６又は先端工具８を装着する装着部５１を先端側に備えると共に、作業者に把持される把持部５２を基端側に備える。なお、操作棒５には、装着部５１が一つ設けられている。
【０００４】
装着部５１は、アダプタ６又は先端工具８に挿入される挿入部５１ａと、アダプタ６又は先端工具８を固定すべく、アダプタ６又は先端工具８を係止する一対の係止部５１ｂ，５１ｂとを備える。そして、挿入部５１ａは、操作棒５の軸心方向に沿って円柱状に形成され、各係止部５１ｂは、挿入部５１ａから径方向に突出して形成される。
【０００５】
アダプタ６は、操作棒５の先端側に固定される操作棒固定部６１を基端側に備えると共に、先端工具７を固定する工具固定部６２を先端側に備える。なお、アダプタ６には、工具固定部６２が一つ設けられている。
【０００６】
操作棒固定部６１は、操作棒５の挿入部５１ａを内挿するように円筒状に形成される。そして、操作棒固定部６１は、操作棒５の各係止部５１ｂに挿通されて且つ係止される溝状の被係止部６１ａ，６１ａを一対備える。
【０００７】
工具固定部６２は、先端工具７と嵌合すべく凹凸状に形成される嵌合部６２ａと、嵌合部６２ａとにより先端工具７を挟持する挟持部材６２ｂとを備える。なお、挟持部材６２ｂは、螺子機構を介して、嵌合部６２ａとの間の距離を調整可能に構成されている。
【０００８】
アダプタ６を介して操作棒５に接続される先端工具７は、アダプタ６に取り付けられる取付部７１を備える。そして、取付部７１は、アダプタ６の嵌合部６２ａと嵌合すべく、凹凸状に形成される嵌合部７１ａを備える。
【０００９】
操作棒５に直接取り付けられる先端工具８は、操作棒５の挿入部５１ａを内挿するように円筒状に形成される取付部８１を備える。そして、取付部８１は、操作棒５の各係止部５１ｂに挿通されて且つ係止される溝状の被係止部８１ａ，８１ａを一対備える。即ち、かかる先端工具８の取付部８１は、アダプタ６の操作棒固定部６１と略同じ構成である。
【００１０】
しかしながら、一つしか先端工具７，８が装着できない操作棒５やアダプタ６においては、異なる作業を行う度に、先端工具７，８を（アダプタ６ごと）取り替える必要があり、作業が非常に煩雑であった。そこで、出願人は、先端側に複数の先端工具を装着できる操作棒（先端工具用アダプタ）を提案している（例えば、特許文献１）。
【００１１】
なお、先端工具７，８には、例えば、電線絶縁用カバーを仮固定する際に使用されるカバー押え器、リングを締め付けたりカバーを取り外したりする際に使用されるバインド打ち器、高圧引下線用コネクタを取り付けたり取り外したりする際に使用される引下用コネクタ支持器といったさまざまな種類の工具が存在する。
【先行技術文献】
【特許文献】
【００１２】
【特許文献１】特開２００７−１９５３１７号公報
【発明の概要】
【発明が解決しようとする課題】
【００１３】
かかる操作棒（アダプタ）においては、先端工具を複数装着することができ、先端工具を取り替える作業が簡素化されたという効果は生じるものの、先端工具が軸心から離れて位置しているため、先端工具を使用して行う作業の操作性が低下することも考えられる。
【００１４】
よって、本発明は、かかる事情に鑑み、先端工具を取り替える作業を簡素化できるだけでなく、先端工具を使用して行う作業の操作性を維持することができる先端工具用アダプタ及び操作棒を提供することを課題とする。
【課題を解決するための手段】
【００１５】
本発明に係る先端工具用アダプタは、先端工具を固定する工具固定部を複数備え、操作棒と複数の先端工具とを接続するための先端工具用アダプタにおいて、各工具固定部が操作棒の軸心上に位置するそれぞれの状態に切り替え可能に構成されることを特徴とする。
【００１６】
本発明に係る先端工具用アダプタによれば、先端工具を固定する工具固定部を複数備えるため、操作棒と複数の先端工具とを接続できる。そして、各工具固定部が操作棒の軸心上に位置するそれぞれの状態に切り替えることができる。
【００１７】
また、本発明に係る先端工具用アダプタにおいては、各工具固定部は、操作棒の軸心方向と直交する方向を中心に回動可能に構成されてもよい。
【００１８】
かかる構成の先端工具用アダプタによれば、各工具固定部が操作棒の軸心方向と直交する方向を中心に回動できる。これにより、各工具固定部をそれぞれ回動させることにより、操作棒の軸心上に各工具固定部を容易に位置させることができる。
【００１９】
また、本発明に係る先端工具用アダプタにおいては、各工具固定部は、一体的に形成されてもよい。
【００２０】
かかる構成の先端工具用アダプタによれば、各工具固定部が一体的に形成されているため、所定の工具固定部を操作棒の軸心上に位置させる作業と、操作棒の軸心上に位置していた別の工具固定部を軸心上から外す作業とを一つの作業で行うことができる。
【００２１】
また、本発明に係る先端工具用アダプタにおいては、操作棒に固定される固定体と、固定体に対して相対的に移動可能な可動体とを備え、複数の工具固定部は、可動体にそれぞれ配置され、固定体は、可動体が相対的に移動するのを規制することにより、各工具固定部が操作棒の軸心上に位置するように位置決めする位置決め手段を備えてもよい。
【００２２】
かかる構成の先端工具用アダプタによれば、複数の工具固定部を有する可動体が、操作棒に固定される固定体に対して相対的に移動できる。そして、固定体の位置決め手段にて、可動体が相対的に移動するのを規制することにより、各工具固定部が操作棒の軸心上に位置するように位置決めできる。
【００２３】
また、本発明に係る操作棒は、先端工具を固定する工具固定部を先端側に複数備え、各工具固定部が軸心上に位置するそれぞれの状態に切り替え可能に構成されることを特徴とする。
【００２４】
かかる構成の先端工具用アダプタによれば、先端側に複数設けられる工具固定部がそれぞれ先端工具を固定するため、先端側に複数の先端工具を装着できる。そして、各工具固定部が軸心上に位置するそれぞれの状態に切り替えることができる。
【発明の効果】
【００２５】
以上の如く、本発明に係る先端工具用アダプタ及び操作棒によれば、各工具固定部が軸心上に位置するそれぞれの状態に切り替えることができるため、先端工具を取り替える作業を簡素化できるだけでなく、先端工具を使用して行う作業の操作性を維持することができるという優れた効果を奏する。
【図面の簡単な説明】
【００２６】
【図１】本発明の一実施形態に係る先端工具用アダプタの全体図であって、（ａ）は正面図、（ｂ）は背面図を示す。
【図２】同実施形態に係る先端工具用アダプタの全体図であって、（ａ）は右側面図、（ｂ）は左側面図を示す。
【図３】同実施形態に係る先端工具用アダプタの全体図であって、図１（ｂ）のＡ−Ａ線における断面図を示す。
【図４】同実施形態に係る先端工具用アダプタにおける先端工具が取り付けられる際の説明図であって、（ａ）は取り付けられる前の全体正面図、（ｂ）は取り付けられた後の全体右側面図を示す。
【図５】同実施形態に係る先端工具用アダプタにおける先端工具を切り替える際の説明図であって、（ａ）及び（ｂ）はそれぞれ要部断面図を示す。
【図６】同実施形態に係る先端工具用アダプタにおける先端工具を切り替える際の説明図であって、（ａ）及び（ｂ）はそれぞれ要部断面図を示す。
【図７】本発明の他の実施形態に係る先端工具用アダプタの全体図であって、（ａ）は左側面図、（ｂ）は正面図を示す。
【図８】同実施形態に係る先端工具用アダプタにおける先端工具を切り替える際の説明図であって、（ａ）及び（ｂ）はそれぞれ全体正面図を示す。
【図９】本発明の他の実施形態に係る先端工具用アダプタの全体図であって、（ａ）は正面図、（ｂ）は左側面図を示す。
【図１０】同実施形態に係る先端工具用アダプタにおける先端工具を切り替える際の説明図であって、（ａ）及び（ｂ）はそれぞれ全体左側面図を示す。
【図１１】本発明のさらに他の実施形態に係る先端工具用アダプタの要部図であって、（ａ）〜（ｃ）はそれぞれ断面図を示す。
【図１２】従来における操作棒及び先端工具用アダプタの全体正面図を示す。
【発明を実施するための形態】
【００２７】
以下、本発明に係る先端工具用アダプタ及び操作棒における一実施形態について、図１〜図６を参酌して説明する。なお、図１〜図６において、図１２の符号と同一の符号を付した部分は、従来技術と同一の構成又は要素を表す。
【００２８】
本実施形態に係る先端工具用アダプタ（以下、単に「アダプタ」ともいう）は、図１〜図４に示すように、操作棒５の先端側に固定される操作棒固定部１１を有する固定体１と、先端工具７を固定する工具固定部２１，２１を二つ有し、固定体１に対して相対的に移動可能な可動体２とを備える。そして、アダプタは、可動体２を固定体１に固定するための固定手段３を備え、各工具固定部２１が操作棒５の軸心上に位置するそれぞれの状態に切り替え可能に構成される。
【００２９】
固定体１は、長尺な棒状に形成され、操作棒固定部１１を基端側に配置する。そして、固定体１は、操作棒５の軸心方向と直交する方向で可動体２を枢着する枢着部１２と、各工具固定部２１を位置決めする位置決め手段１３とを備える。また、固定体１は、可動体２を挿通する凸状（円柱状）の挿通部１４を備える。
【００３０】
操作棒固定部１１は、操作棒５の挿入部５１ａを内挿するように円筒状に形成される。そして、操作棒固定部１１は、操作棒５の各係止部５１ｂに挿通されて且つ係止される溝状の被係止部１１ａ，１１ａを一対備える。即ち、従来技術におけるアダプタ６の操作棒固定部６１と略同じ構成である。
【００３１】
位置決め手段１３は、可動体２が所定方向に回動するのを規制する第１位置決め手段１３ａと、可動体２が該所定方向と反対方向に回動するのを規制する第２位置決め手段１３ｂとを備える。そして、各位置決め手段１３ａ，１３ｂは、可動体２と当接することにより、可動体２が回動するのを規制すると共に、各工具固定部２１が操作棒５の軸心上に位置するように位置決めする。
【００３２】
可動体２は、二つの工具固定部２１，２１を先端側（外方）に配置する。そして、可動体２は、各工具固定部２１を一体的に形成すべく、二つの工具固定部２１，２１を連結する連結部２２を備える。また、可動体２は、固定体１の挿通部１４に挿通される挿通孔２３を備える。
【００３３】
工具固定部２１は、先端工具７の嵌合部７１ａと嵌合すべく凹凸状に形成される嵌合部２１ａと、嵌合部２１ａとにより先端工具７を挟持する挟持部材２１ｂとを備える。なお、挟持部材２１ｂは、螺子機構を介して、嵌合部２１ａとの間の距離を調整可能に構成されている。即ち、従来技術におけるアダプタ６の工具固定部６２と略同じ構成である。
【００３４】
また、各工具固定部２１は、連結部２２から突出して形成され、互いの交差角度が９０°以上となるように、好ましくは９０°〜１５０°となるようにそれぞれ配置される。即ち、各工具固定部２１は、可動体２の回動中心である枢着部１２からの方向における交差角度が当該角度となるように配置される。
【００３５】
挿通孔２３は、中途部２３ａが円弧状に形成され、両端部２３ｂ，２３ｂが円形状に形成されて構成される。そして、中途部２３ａは、幅寸法が固定体１の挿通部１４の直径と略同じ又は若干大きく形成される。また、端部２３ｂは、直径が中途部２３ａの幅寸法より大きくなるように形成される。
【００３６】
固定手段３は、挿通孔２３の端部２３ｂに挿入されることにより、挿通孔２３の端部２３ｂを掛止する掛止部材３１と、掛止部材３１を付勢する弾性部材３２とを備える。
【００３７】
掛止部材３１は、端部に鍔部３１ａを備える。また、掛止部材３１は、筒状に形成され、固定体１の挿通部１４に挿通されると共に、挿通部１４に沿って変位可能に構成される。そして、掛止部材３１は、外幅寸法が挿通孔２３の中途部２３ａの幅寸法より大きく且つ挿通孔２３の端部２３ｂの直径より小さくなるように形成される。
【００３８】
弾性部材３２は、挿通部１４及び掛止部材３１間に配置される。そして、弾性部材３２は、掛止部材３１が挿通孔２３の内に挿入する方向に、掛止部材３１を付勢する。
【００３９】
本実施形態に係るアダプタの構成については以上の通りであり、次に、本実施形態に係るアダプタの先端工具切り替え方法について、図４〜図６を参酌して説明する。
【００４０】
図４（ａ）に示すように、アダプタの各工具固定部２１に、先端工具７の取付部７１を固定させる。そして、図４（ｂ）に示すように、一方の工具固定部２１が操作棒５の軸心上に位置しているため、従来技術におけるアダプタ６と同じように、一方の先端工具７を操作することができる。このとき、挿通孔２３の端部２３ｂに挿入される掛止部材３１が、挿通孔２３を掛止している（図１〜図３参照）。なお、図４（ｂ）において、奥行き方向に存在する先端工具７については図示していない。
【００４１】
次に、一方の先端工具７から他方の先端工具７に切り替える場合には、図５（ａ）に示すように、弾性部材３２が縮むように、掛止部材３１を引っ張ることで挿通孔２３から抜き出す。すると、掛止部材３１が挿通孔２３を掛止する状態を解除できる。そして、図５（ｂ）に示すように、掛止部材３１をその位置で維持しつつ、可動体２を固定体１に対して回動させる。
【００４２】
このとき、掛止部材３１の外幅寸法が挿通孔２３の中途部２３ａの幅寸法よりも小さいため、掛止部材３１を離しても、掛止部材３１が挿通孔２３に挿入することはない。なお、図５（ｂ）において、奥行き方向に存在する先端工具７や一方の工具固定部２１については図示していない。さらに、可動体２を固定体１に対して回動させると、図６（ａ）に示すように、掛止部材３１が挿通孔２３の端部２３ｂの位置となる。このとき、可動体２は、固定体１の位置決め手段１３に当接されている。
【００４３】
そして、図６（ｂ）に示すように、弾性部材３２が掛止部材３１を付勢することにより、掛止部材３１が挿通孔２３の端部２３ｂに挿入される。これにより、掛止部材３１が挿通孔２３の端部２３ｂを掛止することにより、可動体２が固定体１に対して固定される。このとき、他方の工具固定部２１が操作棒５の軸心上に位置しているため、従来技術におけるアダプタ６と同じように、他方の先端工具７も操作することができる。
【００４４】
以上より、本実施形態に係る先端工具用アダプタは、操作棒固定部１１が操作棒５の先端側に固定されると共に、二つの工具固定部２１，２１がそれぞれ先端工具７を固定するため、操作棒５の先端側に二つの先端工具７，７を取り付けることができる。そして、各工具固定部２１が操作棒５の軸心上に位置するそれぞれの状態に切り替えることができるため、先端工具７，７を取り替える作業を簡素化できるだけでなく、先端工具７を使用して行う作業の操作性を維持することができる。
【００４５】
また、本実施形態に係る先端工具用アダプタにおいては、連結部２２により連結されて一体的に形成された各工具固定部２１が、操作棒５の軸心方向と直交する方向を中心に回動できる。これにより、各工具固定部２１を回動させることにより、操作棒５の軸心上に各工具固定部２１を容易に位置させることができる。このとき、先端工具７を操作棒５の軸心上から外す作業と、別の先端工具７を操作棒５の軸心上に位置させる作業とを一つの作業で行うことができるため、先端工具７を取り替える作業をさらに簡素化することができる。
【００４６】
また、本実施形態に係る先端工具用アダプタは、位置決め手段１３が可動体２と当接することにより、可動体２が固体体１に対して相対的に移動するのを規制し、その結果、所定の工具固定部２１が操作棒５の軸心上に位置するように位置決めできる。
【００４７】
なお、本発明に係る先端工具用アダプタ及び操作棒は、上記した実施の形態に限定されるものではなく、本発明の要旨を逸脱しない範囲内において種々変更を加え得ることは勿論である。また、下記する各種の変更例に係る構成や方法等を任意に選択して、上記した実施形態に係る構成や方法等に採用してもよいことは勿論である。
【００４８】
例えば、上記実施形態に係る先端工具用アダプタにおいては、固定体１が可動体２を枢着部１２にて枢着し、可動体２が固定体１に対して回動する場合を説明したが、かかる場合に限られない。例えば、図７に示すように、可動体２’は、直線状の挿通孔２３’を備え、可動体２’が固定体１’に対して相対変位する場合でもよい。かかる構成の場合には、固定手段３’は、例えば、固定体１’とにより可動体２’を挟持する挟持部材３３を備え、可動体２’を固定体１’に対して固定可能に構成される。
【００４９】
なお、工具固定部２１（先端工具）を切り替える際には、図８（ａ）に示すように、可動体２’の固定状態を解除して、可動体２’を固定体１’に対して相対的に移動させる。そして、図８（ｂ）に示すように、可動体２’が位置決め手段１３（１３ｂ）により位置決めされた状態で、可動体２’を挟持して固定させる。これにより、工具固定部２１が操作棒５の軸心上に位置するそれぞれの状態に切り替可能に構成される。
【００５０】
また、上記実施形態に係る先端工具用アダプタにおいては、工具固定部２１を二つ備える場合を説明したが、かかる場合に限られず、工具固定部を三つ以上備える場合でもよい。さらに、上記実施形態に係る先端工具用アダプタにおいては、工具固定部２１が嵌合部２１ａと挟持部材２１ｂとを備える場合を説明したが、かかる場合に限られず、例えば、工具固定部が操作棒５の装着部５１と略同じ構成である場合でもよい。
【００５１】
当該二つの構成を採用した変更例として、例えば、図９及び図１０に示すように、固定体１”に対して個別に相対的に移動可能な可動体２”を４つ備え、その内二つの可動体２”，２”は、それぞれ嵌合部２１ａ及び挟持部材２１ｂを有する工具固定部２１を備え、他の二つの可動体２”は、先端工具８に挿入される挿入部２１ｃ及び先端工具８を係止する係止部２１ｄを有する工具固定部２１’を備える場合でもよい。かかる構成の場合には、固定手段３’は、例えば、固定体１”とにより各可動体２”を挟持する挟持部材３３を備え、各可動体２”を固定体１”に対して固定可能に構成される。
【００５２】
なお、工具固定部２１，２１’（先端工具）を切り替える際には、図１０（ａ）に示すように、可動体２”の固定状態を解除して、可動体２”を固定体１”に対して相対的に移動させる。そして、図１０（ｂ）に示すように、可動体２”が位置決め手段１３’により位置決めされた状態で、可動体２”を挟持して固定する。これにより、工具固定部２１，２１’が操作棒５の軸心上に位置するそれぞれの状態に切り替可能に構成される。
【００５３】
また、上記実施形態に係る先端工具用アダプタにおいては、固定手段３が円筒状に形成される掛止部材３１を備える場合を説明したが、かかる場合に限られない。例えば、図１１に示すように、固定手段３”は、球状に形成される掛止部材３１”と、掛止部材３１”を付勢する弾性部材３２”とを備える場合でもよい。
【００５４】
かかる構成において、工具固定部２１（先端工具７）を切り替える際には、図１１（ｂ）に示すように、可動体２を回動させることにより、掛止部材３１”が挿通孔２３の端部２３ｂを掛止する状態を解除する。これにより、可動体２を固定体１'''に対して相対的に移動させる。なお、図１１（ｂ）において、奥行き方向に存在する工具固定部２１や先端工具７については図示していない。そして、図１１（ｃ）に示すように、掛止部材３１”が可動体２の挿通孔２３の端部２３ｂを掛止することにより、可動体２を固定体１'''に固定できる。
【００５５】
なお、かかる構成によれば、掛止部材３１”が球状に形成されているため、例えば、操作棒５の把持部５２を把持した状態で、可動体２が遠心力により回動するように操作すると、工具固定部２１を切り替えることも可能である。そのように設計することで、さらに作業性を向上させることができる。
【００５６】
また、上記実施形態に係る操作棒５においては、工具固定部２１を有する先端工具用アダプタを介して先端工具７を装着する場合を説明したが、かかる場合に限られず、先端工具７を固定する工具固定部を複数備える操作棒である場合でもよい。即ち、操作棒は、複数の先端工具を先端側に直接装着する場合でもよい。
【００５７】
また、本発明に係る先端工具用アダプタ及び操作棒は、先端工具用アダプタ（操作棒固定部）と操作棒（装着部）との接続、先端工具用アダプタ（工具固定部）と先端工具（取付部）との接続、操作棒（装着部）と先端工具（取付部）との接続について、上記の構成に限定されることはない。要するに、それらが互いに固定される構成であればよい。
【符号の説明】
【００５８】
１…固定体、２…可動体、５…操作棒、１３…位置決め手段、２１…工具固定部
【図１】
2010193612.tif 000003
【図２】
2010193612.tif 000004
【図３】
2010193612.tif 000005
【図４】
2010193612.tif 000006
【図５】
2010193612.tif 000007
【図６】
2010193612.tif 000008
【図７】
2010193612.tif 000009
【図８】
2010193612.tif 000010
【図９】
2010193612.tif 000011
【図１０】
2010193612.tif 000012
【図１１】
2010193612.tif 000013
【図１２】
2010193612.tif 000014